(57)【特許請求の範囲】
【請求項１】
所定の固定具にアクセス可能に通じる開口部を封印する封印構造であって、
前記開口部内において、前記固定具へのアクセスを妨げるように配置される封印片と、
前記開口部周縁と前記封印片との間をつなぎ、前記開口部周縁から前記封印片を支持する脆弱部と、を備え、
前記脆弱部は、所定の外力を受けて、前記封印片と前記開口部周縁とを分断可能に形成され、
前記封印片は、当該封印片と前記脆弱部との接続部分よりも前記固定具側において、当該封印片から外方に突出するフランジ部を有し、
前記開口部周縁から分断された前記封印片が、前記開口部内にとどまる
ことを特徴とする封印構造。
【発明の詳細な説明】
【技術分野】
【０００１】
本発明は、遊技機のセンサを覆うカバー、基板ケースなどに適用される封印構造に関し、特に、開封の痕跡を残しつつ、開封が困難な封印構造に関する。
【背景技術】
【０００２】
一般に、スロットマシン、パチンコなどの遊技機では、遊技者の操作や遊技媒体を検出するセンサ、所定の電子部品を実装した基板等の部品が備えられている。
これらのセンサ、基板等の部品は、不正行為者による違法部品との交換や改造、不正部品の追加、接続など、悪質な不正行為の標的となっており、その被害は深刻なものとなっている。
【０００３】
例えば、スロットマシンでは、遊技者の操作を検出するセンサに不正部品が取り付けられることがある。
スロットマシンは、リールの回転を始動させるスタートレバーやリールの回転を停止させる停止ボタン等の遊技者が操作する操作部を備え、これらの操作部には、遊技者の操作を検出するセンサが設けられている。これらのセンサにおいて検出された入力信号は、センサに接続された接続ケーブルを介して、スロットマシンを制御する主基板に入力されることで、主基板に遊技者の入力操作が伝達され、一連の遊技が進行するようになっている。
【０００４】
このようなスロットマシンにおいて、遊技者の操作に伴う上記のセンサで検出された所定の信号を擬似的に発生させる、いわゆる「打ち込み機」と称する不正部品が取り付けられる場合がある。
「打ち込み機」は、これらの遊技者の操作に係る入力信号を擬似的に発生させる不正部品で、例えば、スタートレバーに対応するセンサを不正部品と交換し、擬似的なスタート信号を発振させ、この擬似信号を主基板に入力することで、一連の遊技を自動で進行させることができる。
その結果、例えば、ビッグボーナスの当せんを検出したときに、「打ち込み機」の作動を停止することで、スロットマシンを有利な遊技状態とすることができてしまう。
【０００５】
このような不正部品の取り付けを排除する技術として、例えば、特許文献１では、スタートレバーに対応するセンサを覆うカバーと、このセンサの接続ケーブルを覆うカバーとを備えるとともに、これらを取り外し不能に係止させるカバー構造の技術が提案されている。
このカバー構造では、固定ネジにアクセス可能に通じる開口部に嵌入され、ネジの頭部を操作不能に覆う、キャップを備えている。
このキャップには、ドライバ等の工具で突き通し可能な薄肉部が形成され、このキャップの破壊痕により、カバー開封の痕跡が残るようになっている。
【先行技術文献】
【特許文献】
【０００６】
【特許文献１】特開２００９−１８１１３号公報
【発明の概要】
【発明が解決しようとする課題】
【０００８】
本発明は、開封の痕跡が残る封印構造の提供を目的とする。
【課題を解決するための手段】
【０００９】
上記目的を達成するため本発明の封印構造は、所定の固定具にアクセス可能に通じる開口部を封印する封印構造であって、前記開口部内において、前記固定具へのアクセスを妨げるように配置される封印片と、前記開口部周縁と前記封印片との間をつなぎ、前記開口部周縁から前記封印片を支持する脆弱部と、を備え、前記脆弱部は、所定の外力を受けて、前記封印片と前記開口部周縁とを分断可能に形成され、前記封印片は、当該封印片と前記脆弱部との接続部分よりも前記固定具側において、当該封印片から外方に突出するフランジ部を有し、前記開口部周縁から分断された前記封印片が、前記開口部内にとどまる構成としてある。
【図面の簡単な説明】
【００１１】
【図１】本発明の第一実施形態に係る封印構造の適用されるスタートレバーユニットを示し、（ａ）は、正面図、（ｂ）は、Ａ−Ａ断面図である。
【図２】本発明の第一実施形態に係る封印構造の適用されるスタートレバーユニットを後方から見た分解斜視図である。
【図３】本発明の第一実施形態に係る封印片と脆弱部とが形成されたカバーを示し、（ａ）は、表面斜視図、（ｂ）は、裏面斜視図である。
【図４】本発明の第一実施形態に係る封印片と脆弱部とが形成されたカバーを示し、（ａ）は、表面から見た平面図、（ｂ）は、Ｂ−Ｂ断面図である。
【図５】本発明の第一実施形態に係る封印構造を説明するための説明図であり、（ａ）は、カバーとスペーサとの組み立て平面図、（ｂ）は、Ｃ−Ｃ断面図、（ｃ）は、橋架部を切断したときの要部断面図である。
【図６】本発明の第一実施形態に係るフランジ部の形成された封印片を説明するための説明図であり、（ａ）は、封印部の平面図、（ｂ）は、Ｄ−Ｄ断面図である。
【図７】本発明の第一実施形態に係るフランジ部に形成された切欠き部を説明するための説明図であり、（ａ）は、各橋架部と各切欠き部を３回回転対称で配置した平面図、（ｂ）は、各橋架部と各切欠き部を１回回転対称で配置した平面図である。
【図８】本発明の第一実施形態に係る封印構造を説明するための説明図であり、（ａ）は、脆弱部を薄肉形成した平面図、（ｂ）は、Ｅ−Ｅ断面図である。
【図９】本発明の第二実施形態に係る封印構造が適用される基板ケースユニットを示し、（ａ）は、外観斜視図、（ｂ）は、Ｆ−Ｆ断面図である。
【図１０】本発明の第二実施形態に係るボス固定部及びその周辺を説明するための説明図であり、（ａ）は、ボス固定部の形成される蓋の外観斜視図、（ｂ）は、蓋の平面図、（ｃ）は、Ｇ−Ｇ断面図である。
【図１１】本発明の第二実施形態に係る封印部を説明するための説明図であり、（ａ）は、封印部の形成されるカバーの平面図、（ｂ）は、カバーの側面図、（ｃ）は、カバーを裏面側から見た外観斜視図である。
【図１２】本発明の第二実施形態に係る封印構造の封印解除を説明するための動作図であり、（ａ）は、橋架部を切断したときの断面図、（ｂ）は、フランジ部がネジ頭部を閉塞した状態を示す断面図、（ｃ）は、開口部と挿通孔とが対向し、ネジ頭部へのアクセスが可能となった状態を示す断面図である。
【発明を実施するための形態】
【００１２】
［第一実施形態］
以下、第一実施形態として、本発明の封印構造をスタートレバーユニット１に適用した場合について、図面を参照して説明する。
【００１３】
図１は、本発明の封印構造の適用されるスタートレバーユニット１を示し、（ａ）は正面図、（ｂ）はＡ−Ａ断面図、図２は、スタートレバーユニット１の分解斜視図、図３は、第一実施形態に係る封印片と脆弱部とが形成されたカバー５０を示し、（ａ）は表面斜視図、（ｂ）は裏面斜視図、図４は、カバー５０を示し、（ａ）は表面から見た平面図、（ｂ）はＢ−Ｂ断面図である。
【００１４】
これらの図に示すように、本発明に係る封印構造の適用されるスタートレバーユニット１は、スロットマシンに取り付けられる部品であり、遊技者がレバーを叩き、揺動させることによりリールの回転を始動させる操作部として構成されている。
【００１５】
スタートレバーユニット１には、レバーの揺動を検出するためのセンサ４１が内蔵されており、このセンサ４１が不正改造等の対象部品となっている。
このセンサ４１は、スタートレバーユニット１を構成する複数の部品の内部に配置されることで、外部からアクセス不能に囲まれているものの、所定のネジを緩めることで、各部品が分解可能となり、センサ４１を取り出すことができるようになっている。
そこで、本発明の封印構造は、このネジの頭部に通じる開口部を封印するように構成され、開口部周縁から分断された封印片が、開口部内にとどまり、ネジ頭部へのアクセスを妨げるので、開封の痕跡を残しながら、開封に至るまでの時間を引き延ばすことで、開封を困難にしている。
以下、スタートレバーユニット１を構成する各部品について説明する。
【００１６】
スタートレバーユニット１は、遊技者によって叩き操作されるレバー１０と、レバー１０に連結された連結ピン１１と、連結ピン１１を揺動可能に支持するベース２０と、ベース２０の表側を覆う化粧ケース３０と、センサ４１を収容するスペーサ４０と、スペーサ４０をベース２０に固定するネジ４２と、スペーサ４０の後方からセンサ４１を覆うカバー５０と、を備え、図１におけるベース２０と化粧ケース３０との間を境にして、右側がスロットマシンの操作パネルから突出し、左側が操作パネルに埋設されるように取り付けられる。
【００１７】
このような構成からなるスタートレバーユニット１において、詳しくは後述するものの、本発明に係る固定具として機能するネジ４２を緩めなければ、センサ４１を取り外すことができないようになっている。そこで、ネジ４２にアクセス可能に通じる開口部を閉鎖する封印部５１をカバー５０に形成し、ネジ４２の頭部へのアクセスを妨げるようになっている。
以下、スペーサ４０と、カバー５０について詳しく説明する。
【００１８】
スペーサ４０は、センサ４１を支持しながら包囲する部品であり、略有底筒状に形成された合成樹脂製の射出成形品である。
スペーサ４０には、ボス固定部４０１、センサ挿入部４０２、爪係止孔４０３、カバー囲い部４０４が形成されている。
【００１９】
ボス固定部４０１は、ネジ頭部４２ａのみ挿通不能な孔の形成された底面と、ネジ頭部４２ａを囲む壁面４０１ｂとを有する凹設形成された部分であり、ネジ４２をこの孔を介してボス２０１に形成されたネジ穴に螺着させることで、スペーサ４０をベース２０に固定させることができる（図５参照）。
また、このボス固定部４０１には、カバー５０に面する側に開口部４０１ａが形成されている。この開口部４０１ａは、ネジ頭部４２ａにアクセス可能に通じることから、本発明に係る一の開口部となっている。
【００２０】
センサ挿入部４０２は、センサ４１とほぼ等しい外形で開口された部分であり、図２に示すように、右方から挿入されるセンサ４１を揺動不能に固定する。このセンサ４１は、フォトインタラプタで構成され、連結ピン１１の揺動を、遮光／通光により検知可能な位置に固定される（図１（ｂ）参照）。
【００２１】
爪係止孔４０３は、カバー５０に形成された爪部５０１より小さい外形で開口された部分であり、図２に示すように、右方から挿入される爪部５０１が弾性変形しながら通過し、通過後、復元した爪部５０１が爪係止孔４０３の裏面側に係止される。
この係止により、爪部５０１を圧縮操作しない限り、カバー５０をスペーサ４０から脱抜させることはできない。さらに、この係止状態の爪部５０１は、ベース２０及びスペーサ４０に包囲されるので、カバー５０は脱抜不能にはめ殺しされる。
【００２２】
カバー５０は、センサ４１の後端部を覆う部品であり、略板状に形成された無色透明な合成樹脂製（ＡＢＳ）の射出成形品である。
合成樹脂であるＡＢＳ（アクリロニトリル・ブタジエン・スチレン）は、常温では透明の固体として存在するものの、外力を加えるとその部分は白化し不透明になる特性を有している。これにより、その白色痕を、外力を加えた痕跡とすることができる。
また、カバー５０には、封印部５１、爪部５０１、環状凸部５１５が形成されている。
【００２３】
爪部５０１は、図３に示すように、カバー裏面５０ｂから突出形成され、先端部が弾性変形可能な矢じり状に形成された部分であり、爪係止孔４０３に係止される。
環状凸部５１５は、カバー５０周縁に凸設形成された部分であり、カバー５０自体の強度を高めつつ、封印部５１（下記開口部５１０）内への指等の挿入を困難にさせる。
【００２４】
封印部５１は、本発明に係る封印構造の主要部が形成されている部分であり、ネジ頭部４２ａ（ボス固定部４０１）と対向する位置に形成される。
封印部５１は、開口部５１０（直径１０ｍｍ）をベースとして、この開口部５１０を閉鎖するように形成され、この開口部５１０は、ボス固定部４０１の開口部４０１ａと対向配置されている。そのため、封印部５１を除去した状態では、ネジ頭部４２ａにアクセス可能に通じることから、本発明に係る一の開口部となっている。
【００２５】
ここで、開口部５１０，４０１ａを封印する封印部５１の作用について説明する。
不正改造等の対象部品であるセンサ４２を取り外すためには、カバー５０を開封しなければならない。そのためには、爪部５０１を操作しなければならないが、この爪部５０１は、ベース２０及びスペーサ４０に包囲されているので、まずは、スペーサ４０とベース２０とを分離する必要がある。ところが、スペーサ４０とベース２０とは、封印部５１で封印されているボス固定部４０１においてネジ４２で固定されている。
ネジ４２を緩めると、スペーサ４０とベース２０とを分離することができ、さらに、爪部５０１を圧縮操作して、カバー５０を開封することで、センサ４１をセンサ挿入部４０２から抜き取ることができるようになっている。
【００２６】
本実施形態のスタートレバーユニット１は、このような部品構成からなるので、このネジ頭部４２ａを外部からアクセス不能に遮蔽することができれば、スペーサ４０とベース２０とが分離されることもなく、さらには、カバー５０も開封されることもない。ところが、センサ４１が動作不良を起こし、正規の部品と交換するために、カバー５０を開封しなければならないこともある。
【００２７】
そこで、封印部５１は、ネジ頭部４２ａにアクセス可能に通じる開口部４０１ａ，５１０を封印するとともに、封印を解除可能に構成され、封印解除により、ネジ頭部４２ａにアクセスできるように作用する。
しかしながら、不正改造を目的として、封印が解除されることもあるので、封印の解除に伴い、封印片が開口部４０１ａ，５１０内にとどまり、ネジ頭部４２ａへのアクセスを妨げ、カバー５０開封に至るまでの時間を引き延ばすようになっている。
このような作用の実現のため、封印部５１には、封印の解除によってネジ頭部４２ａに通じる開口部５１０をベースに、封印片５１１と脆弱部５１４とが形成されている。
【００２８】
封印片５１１は、有底筒状（直径４ｍｍ×高さ５ｍｍ）に形成された部分で、ネジ頭部４２ａを遮るように、開口部５１０の中心であって、ネジ頭部４２ａの中心と対向する位置に配置されている。つまり、封印片５１１は、ネジ頭部４２ａへのアクセスを妨げるように作用する。
また、封印片５１１を断面コの字の有底筒状に形成することで、剛性を確保しながら、単に円柱としたときよりも破壊し難くなっている。
【００２９】
さらに、この封印片５１１は、外部から接触可能なカバー表面５０ａにおいて、少なくともカバー表面５０ａから突出することなく、カバー表面５０ａと面一に繋がって形成されている。
これにより、開口部５１０周縁と分断される前の封印片５１１は、指等で摘み難くなり、指等で摘みながら分断されることが防止され、封印片５１１の除去が困難になる。
【００３０】
本実施形態の脆弱部５１４は、橋架部５１２と孔部５１３とで構成されている。
孔部５１３は、開口部５１０の一部であるものの、橋架部５１２は、開口部５１０周縁から封印片５１１を３点支持するように、これらの間に架設形成され、それぞれが、封印片５１１を中心として放射状に等角度間隔で配置されている。
本実施形態の橋架部５１２は、カバー表面５０ａにおいて、開口部５１０周縁と封印片５１１とを面一につなぎ、開口部５１０周縁から封印片５１１を支持する。また、カバー裏面５０ｂにおいては、封印片５１１よりも薄肉に形成されている（図４（ｂ）参照）。
さらに、橋架部５１２は、均一な渡り幅で封印片５１１を支持するのではなく、渡り幅の狭い幅狭部５１２ａを形成することで、部分的に脆弱化されている。この幅狭部５１２ａは、封印片５１１側に偏った位置に形成してある。
【００３１】
このように、脆弱部５１４は、封印片５１１を３点のみで支持するとともに、封印片５１１よりも薄肉、脆弱化された橋架部５１２と、この周囲に配置された孔部５１３とで構成された脆弱な部分として形成されているので、橋架部５１２を、所定の剪断工具（例えば、ニッパーなど）で切断したり、封印片５１１をドライバ等で押圧したりすることで、橋架部５１２が切断され、封印片５１１を開口部５１０周縁から容易に分断することができるようになっている。
【００３２】
このように、脆弱部５１４を設けることで、封印片５１１と開口部５１０周縁とを容易に分断できるものの、一方の分断された封印片５１１は、開口部５１０内にとどまり、ネジ頭部４２ａへのアクセスを妨げるように作用する。
以下、分断された封印片５１１の作用について、図５を参照しながら説明する。
【００３３】
図５は、本実施形態に係る封印構造を説明するための説明図であり、（ａ）は、カバー５０とスペーサ４０との組み立て平面図、（ｂ）は、Ｃ−Ｃ断面図、（ｃ）は、橋架部５１２を切断したときの要部断面図である。
図５（ｂ）に示すように、分断される前の封印片５１１は、その底面と、ネジ頭部４２ａとが所定の隙間をもって対向配置され、ネジ頭部４２ａへのアクセスを妨げるように動作している。また、この隙間を有することで、分断された封印片５１１を、開口部５１０，４０１ａ内にとどめるためのスペースが確保されることになる。
【００３４】
一方、橋架部５１２を、所定の剪断工具（例えば、ニッパーなど）で切断したり、封印片５１１をドライバ等で押圧したりすることで、封印片５１１を開口部５１０周縁から分断すると、分断された封印片５１１は、開口部５１０，４０１ａにとどまる。これは、ドライバ等での押圧力は勿論のこと、剪断工具での切断力においても（特に、刃を閉じるときの押し出し力）、封印片５１１を、開口部５１０，４０１ａ内に押し込むように作用するので、重力の働く向きに関係なく、分断された封印片５１１は開口部５１０，４０１ａ内に押し込められるからである。
また、本実施形態のカバー５０は、カバー表面５０ａが重力方向に沿うように取り付けられるとともに（図２参照）、封印片５１１は、ネジ頭部４２ａ側に突出し、ネジ頭部４２ａ側に重心を有していることから、その自重は、封印片５１１を開口部５１０，４０１ａ内に押し込めるように作用することになる。
【００３５】
このように、分断された封印片５１１が開口部５１０，４０１ａ内にとどまることで、図５（ｃ）に示すように、封印片５１１がネジ頭部４２ａを覆うことになる。
さらに、ボス固定部４０１には、ネジ頭部４２ａを囲む壁面４０１ｂが形成されるとともに、この壁面４０１ｂが分断された封印片５１１の開口部５１０，４０１ａ内での移動を規制している。
開口部４０１ａの直径は、約７ｍｍであり、封印片５１１の直径は、この開口部４０１ａの半分以上を覆う約４ｍｍであることから（実際には、この直径に封印片５１１周縁に残る橋架部５１２の切り残しが加わる）、封印片５１１が障害物となり、ネジ頭部４２ａへのドライバの到達を妨げるので、カバー５０開封に至るまでの時間を引き延ばすことができる。
【００３６】
また、分断された封印片５１１はネジ頭部４２ａを覆うのみならず、この封印片５１１を開口部５１０，４０１ａから取り出し難くすることで、さらに、カバー５０開封に至るまでの時間を引き延ばすようになっている。
具体的には、橋架部５１２は、所定の剪断工具で切断したり、封印片５１１をドライバ等で押圧したりすることで、容易に切断されるものの、図５（ｃ）に示すように、開口部５１０周縁には、橋架部５１２の切り残し５１２ｂが形成されるようになっている。
【００３７】
この切り残し５１２ｂは、カバー５０開封の痕跡となるだけでなく、開口部５１０周縁から開口部５１０の中心に向かって３方向から延出形成されるため、開口部５１０，４０１ａからの封印片５１１の取り出しを妨げるように作用することになる。
特に、幅狭部５１２ａは、切断が容易に脆弱形成されるとともに、封印片５１１側に偏って形成されていることから、その分、開口部５１０周縁側に残る橋架部５１２の切り残し５１２ｂが長くなる。その結果、長く延出した切り残し５１２ｂが障害となり、封印片５１１の取り出しをさらに困難にさせることになる。
【００３８】
また、橋架部５１２は、開口部５１０周縁において、根元をＲ状に形成してある。これは、切り残し５１２ｂと開口部５１０周縁とを強固に連結させ、確実に切り残し５１２ｂを形成させるという効果を発揮させるだけでなく、剪断工具の刃を滑り易くする作用をも狙ったもので、これにより、不正行為者が幅狭部５１２ａ付近を切断せざるを得ないように仕向けることができる。
このように、橋架部５１２の切り残し５１２ｂが、開口部５１０，４０１ａからの封印片５１１の取り出しを妨げるように作用することで、開封の痕跡を残しながら、カバー５０開封に至るまでの時間をさらに引き延ばすことができる。
【００３９】
さらに、封印片５１１の取り出しを困難にする構成について、図６、図７を参照して説明する。
図６、図７に示す封印片５１１には、開口部５１０を挿通可能な形状であって、開口部５１０とほぼ等しい形状を有するフランジ部５１１ａを、封印片５１１と脆弱部５１４（橋架部５１２）との接続部分よりもネジ頭部４２ａ側に、形成してある。
【００４０】
フランジ部５１１ａは、開口部５１０とほぼ等しい外形を有することから、開口部５１０周縁に切り残し５１２ｂの形成される限り、この切り残し５１２ｂにより、封印片５１１の取り出しが阻まれることになる。
そうすると、カッター等の刃物を用いて、切り残し５１２ｂを除去しなければならないことから、カバー５０開封に至るまでの時間がさらに引き延ばされることになる。
特に、図６に示す封印片５１１は、フランジ部５１１ａを開口部５１０とほぼ等しい円板形状に形成してあるので、切り残し５１２ｂを完全に除去しなければ、封印片５１１を取り出すことができないようになっている。
【００４１】
一方、図７（ａ）、（ｂ）に示す封印片５１１には、フランジ部５１１ａ周縁に、分断された封印片５１１を開口部５１０から取り出すときに、開口部５１０周縁に残る切り残し５１２ｂとの接触を避けるための切欠き部５１１ｂを形成してある。切欠き部５１１ｂは、分断された封印片５１１を開口部５１０から取り出し可能に、複数の橋架部５１２に対応する位置に形成してある。
このような切欠き部５１１ｂにより、切り残し５１２ｂとの接触を避けながら封印片５１１を取り出すことができるものの、切欠き部５１１ｂと切り残し５１２ｂとの正確な位置合わせが要求されることから、封印片５１１の取り出しに時間がかかることになる。
【００４２】
図７（ａ）に示す例では、位置合わせを容易にするために、３つの橋架部５１２を、それぞれ封印片５１１を中心として等角度間隔（１２０度間隔）で配置したものである。これにより、橋架部５１２に対応する切欠き部５１１ｂも当然、封印片５１１を中心として等角度間隔（１２０度間隔）で配置されることになる。
このように、橋架部５１２と切欠き部５１１ｂとを封印片５１１を中心として等角度間隔（１２０度間隔）で配置することにより、分断された封印片５１１を切り残し５１２ｂとの当接を避けながら開口部５１０から取り出すには、いずれか１つの切欠き部５１１ｂを、いずれか１つの切り残し５１２ｂに位置合わせすることで、残る２つの切欠き部５１１ｂと切り残し５１２ｂとが必然的に位置合わせされることになるから、位置合わせを必要とするものの、正確さを要求するものではない。
また、橋架部５１２と切欠き部５１１ｂとを１２０度間隔で配置することで、封印片５１１を１回回転するうちで、橋架部５１２と切欠き部５１１ｂとの重なる機会が、３回存在する（３回回転対称）ことになるから、下記の例よりも位置合わせに要する時間は短くなる。
【００４３】
一方、図７（ｂ）に示す例では、正確な位置合わせを要求するもので、３つの橋架部５１２−１〜３を、それぞれ封印片５１１を中心として放射状に形成するとともに、封印片５１１を中心とした少なくとも１回の回転で元の配置と重なる１回回転対称位置に配置してある。
【００４４】
例えば、橋架部５１２−１と橋架部５１２−２、橋架部５１２−２と橋架部５１２−３、橋架部５１２−３と橋架部５１２−１の、封印片５１１を中心とした角度は、それぞれ、１２０度、８０度、１６０度としてあるので、橋架部５１２−１〜３は、封印片５１１を中心とした１回より少ない回転では、同じ配置と重なることはなく、少なくとも１回の回転で元の配置と重なる、いわゆる１回回転対称位置に配置されている。
また、切欠き部５１１ｂ−１〜３を、それぞれ各橋架部５１２−１〜３と一対一に対応する位置、すなわち、切欠き部５１１ｂ−１は橋架部５１２−１と、切欠き部５１１ｂ−２は橋架部５１２−２と、切欠き部５１１ｂ−３は橋架部５１２−３と、一対一に対応させた、１回回転対称位置に形成してある。
【００４５】
このように、橋架部５１２と切欠き部５１１ｂとを封印片５１１を中心とした１回回転対称位置に配置することにより、分断された封印片５１１を切り残し５１２ｂとの接触を避けながら開口部５１０から取り出すには、いずれか１つの切欠き部５１１ｂを、いずれか１つの切り残し５１２ｂに位置合わせたとしても、必ずしも、残る２つの切欠き部５１１ｂと切り残し５１２ｂとが位置合わせされるとは限らないことから、位置合わせの正確さが要求され、封印片５１１の取り出しに時間がかかることになる。
【００４６】
また、図７（ｂ）に示す例では、図７（ａ）と異なり、封印片５１１の分断される前において、切欠き部５１１ｂ−１〜３は、外側からみて橋架部５１２−１〜３と重ならない位置にずらして配置してある。これにより、封印片５１１が分断されたときは、各切欠き部５１１ｂ−１〜３と、それぞれ対応する橋架部５１２−１〜３とがずれた状態で、開口部５１０内にとどまることになるので、少なくとも正規な位置に合わせるための余分な時間が費やされることになるから、カバー５０開封に至るまでの時間を引き延ばすことができる。
【００４７】
以上のように構成された本実施形態の封印構造によれば、ネジ頭部４２ａに通じる開口部５１０，４０１ａを封印するように構成され、開口部５１０周縁から分断された封印片５１１が、開口部５１０，４０１ａ内にとどまり、ネジ頭部４２ａへのアクセスを妨げるので、カバー５０開封に至るまでの時間を引き延ばすことができる。
また、封印片５１１の欠損、切欠き部５１１ｂの残存を確認することで、カバー５０開封の痕跡を識別できる。
【００４８】
なお、上記実施形態では、脆弱部５１４を、橋架部５１２と孔部５１３とで構成したが、脆弱部５１４を、図８に示すように、開口部５１０周縁（環状凸部５１５を含む）及び封印片５１１よりも薄肉形成した薄肉部として構成することもできる。
このような構成により、脆弱部５１４を、橋架部５１２と孔部５１３とで構成した場合とまったく同様な作用効果を発揮することができる。
また、脆弱部５１４を切断したときに、開口部５１０周縁に残る切り残しは、開口部５１０，４０１ａ内にとどまる封印片５１１の障害物となるとともに、薄肉部の最も薄い部分を封印片５１１側に偏って形成することで、封印片５１１の取り出しが困難になるという同様な作用効果も発揮することができる。
【００４９】
［第二実施形態］
次に、第二実施形態として、本発明の封印構造を基板ケースユニット２に適用した場合について、図面を参照して説明する。
【００５０】
図９は、本発明の封印構造の適用される基板ケースユニットを模式的に示した図で、（ａ）は、外観斜視図、（ｂ）は、Ｆ−Ｆ断面図であり、図１０は、第二実施形態に係るボス固定部及びその周辺を説明するための説明図で、（ａ）は、ボス固定部の形成される蓋の外観斜視図、（ｂ）は、蓋の平面図、（ｃ）は、Ｇ−Ｇ断面図である。
また、図１１は、第二実施形態に係る封印部を説明するための説明図で、（ａ）は、封印部の形成されるカバーの平面図、（ｂ）は、カバーの側面図、（ｃ）は、カバーを裏面側から見た外観斜視図であり、図１２は、第二実施形態に係る封印構造の封印解除を説明するための動作図で、（ａ）は、橋架部を切断したときの断面図、（ｂ）は、フランジ部がネジ頭部を閉塞した状態を示す断面図、（ｃ）は、開口部と挿通孔とが対向し、ネジ頭部へのアクセスが可能となった状態を示す断面図である。
【００５１】
これらの図に示すように、本発明に係る封印構造の適用される基板ケースユニット２は、スロットマシンやパチンコ機などの遊技機に取り付けられる部品であり、所定の基板を収容する基板ケースユニットとして構成されている。
【００５２】
基板ケースユニット２には、遊技機の動作に係る制御を行う基板９０が収容されており、この基板９０が不正改造等の対象部品となっている。
この基板９０は、基板ケースユニット２を構成する複数の部品の内部に配置されることで、外部からアクセス不能に囲まれているものの、ネジ４２を緩めることで、各部品が分解可能となり、基板９０を取り出すことができるようになっている。
【００５３】
そこで、本実施形態の封印構造は、このネジ４２の頭部に通じる開口部５１０を封印するように構成され、開口部５１０周縁から分断された封印片５１１が、開口部５１０内にとどまるだけでなく、封印片５１１に形成されたフランジ部５１１ａが、開口部５１０を挿通不能な大きさに形成されるとともに、開口部５１０周縁から分断された封印片５１１ごと開口部５１０内を移動可能に形成され、所定の移動位置においてのみネジ頭部４２ａに通じる挿通孔５１１ｃを有し、この移動位置以外では、フランジ部５１１ａがネジ頭部４２ａへのアクセスを妨げる構成としてある。
【００５４】
さらに、その移動位置を、基板ケースユニット２の設置された状態において、開口部５１０周縁から分断された封印片５１１がその自重に逆らって移動しなければならない位置とすることで、遊技機から基板ケースユニット２を取り外さない限り、封印解除できないようにしてある。
以下、基板ケースユニット２について説明するが、基板ケースユニット２を構成する各部品は、第一実施形態に係るスタートレバーユニット１と異なる部品から構成されているものの、同一の機能を有する部位ついては、同一の符号及び名称を付して説明するものとする。
【００５５】
基板ケースユニット２は、基板９０を収容するケース６０と、基板９０に通じるケース６０の開口部を覆う蓋７０と、蓋７０をケース６０に固定するネジ４２と、ネジ４２を覆うカバー８０と、を備え、図１２（ａ），（ｂ）に示すように、重力がＧ方向にかかるように、所定の遊技機に取り付けられている。
【００５６】
このような構成からなる基板ケースユニット２では、ネジ４２を緩めなければ、基板９０を取り出すことができないようになっている。そこで、ネジ４２にアクセス可能に通じる開口部５１０を閉鎖する封印部５１をカバー８０に形成し、ネジ４２の頭部へのアクセスを妨げるようになっている。
以下、ケース６０、蓋７０、カバー８０について説明する。
【００５７】
ケース６０は、無色透明な部品であり、図９（ａ），（ｂ）に示すように、基板９０を収容可能に凹状に形成された合成樹脂製の射出成形品である。
ケース６０には、ネジ４２の螺入する穴を有するボス２０１が形成されている。
【００５８】
蓋７０は、無色透明な部品であり、図１０（ａ）〜（ｃ）に示すように、凹状に形成された合成樹脂製の射出成形品である。
蓋７０には、第一実施形態と同様な機能を有するボス固定部４０１、及び壁面４０１ｂの形成されている他に、カバー８０周縁の嵌入される凹部７１、分断された封印片５１１及びフランジ部５１１ａを支持・整列させるリブ７２及び挿入部７３が形成されている。
なお、本実施形態の壁面４０１ｂは、蓋７０の内側面に形成され、主に、開口部５１０周縁から分断される封印片５１１に一体形成されたフランジ部５１１ａの移動を規制する。
【００５９】
カバー８０は、無色透明な部品であり、図１１（ａ）〜（ｃ）に示すように、平板状に形成された合成樹脂製の射出成形品である。
カバー８０には、第一実施形態と同様な機能を有する封印部５１（開口部５１０，封印片５１１，橋架部５１２，孔部５１３）、及びフランジ部５１１ａが形成され、カバー８０周縁が蓋７０の凹部７１に嵌入されることで、蓋７０から着脱不能にはめ殺しされるようになっている。
【００６０】
ただし、本実施形態のフランジ部５１１ａは、第一実施形態とは異なり、開口部５０１を挿通不能な大きさに形成されるとともに、開口部５１０周縁から分断された封印片５１１ごと開口部５１０（蓋７０）内を移動可能に形成され、所定の移動位置においてのみネジ頭部４２ａに通じる挿通孔５１１ｃを備えている。
【００６１】
このような構成からなる基板ケースユニット２において、基板９０を取り出すために、封印部５１の封印を解除しようとして、橋架部５１２を切断しても、フランジ部５１１ａがネジ４２の頭部へのアクセスを妨げるようになっている。
【００６２】
具体的には、図１２（ａ）に示すように、橋架部５１２を、所定の剪断工具（例えば、ニッパーなど）で切断したり、封印片５１１をドライバ等で押圧したりすることで、封印片５１１を開口部５１０周縁から分断すると、分断された封印片５１１はフランジ部５１１ａとともに、蓋７０内側面の壁面４０１ｂによってその移動が規制されながら、開口部５１０（蓋７０）内にとどまる。
【００６３】
このとき、開口部５１０周縁から分断された封印片５１１には、Ｇ方向に重力がかかっていることから、図１２（ｂ）に示すように、開口部５１０内において、右側に移動することになる。
この場合において、挿通孔５１１ｃは、右隅に位置していることから、ネジ頭部４２ａはフランジ部５１１ａで閉塞され、開口部５１０が開口しているにもかかわらず、ネジ頭部４２ａにアクセス不能となっている。
【００６４】
このようなアクセス不能な状態を解消するには、分断された封印片５１１を自重に逆らって左側に移動しなければならない。しかしながら、開口部５１０から封印片５１１を操作して移動させることは極めて困難である。
そうすると、分断された封印片５１１をその自重を利用して左側に移動するためには、基板ケースユニット２の天地を逆さまにしなければならず、そのためには、基板ケースユニット２を遊技機から取り外さなければならない。
その結果、基板ケースユニット２を遊技機から取り外すための余分な時間を費やさなければならないことから、基板９０の取り出しに至るまでの時間がさらに引き延ばされることになる。
ここで、基板ケースユニット２を遊技機から簡単に取り外しできない構造しておけば（例えば、本発明の封印構造を採用）、さらに時間を引き延ばすことができる。
【００６５】
そして、基板ケースユニット２を遊技機から取り外すとともに、図１２（ｃ）に示すように、基板ケースユニット２の天地を逆さまにして、重力のかかる向きをＧ方向にすることで、分断された封印片５１１は、開口部５１０内において、その自重により左側に移動することができる。
【００６６】
フランジ部５１１ａが左側に移動すると、リブ７２、挿入部７３がフランジ部５１１ａを挟むように支持・整列させる。このとき、挿通孔５１１ｃは、ネジ頭部４２ａに通じる所定の移動位置に移動することから、開口部５１０からネジ頭部４２ａにアクセス可能に、開口部５１０と挿通孔５１１ｃとネジ頭部４２ａとが一直線につながることになる。
【００６７】
このように、本実施形態の封印構造によれば、開口部５１０周縁から分断された封印片５１１が、開口部５１０内にとどまるだけでなく、封印片５１１に形成されたフランジ部５１１ａが、開口部５１０を挿通不能な大きさに形成されるとともに、開口部５１０周縁から分断された封印片５１１ごと開口部５１０内を移動可能に形成され、所定の移動位置においてのみネジ頭部４２ａに通じる挿通孔５１１ｃを有していることから、この移動位置以外においては、ネジ頭部４２ａがフランジ部５１１ａで閉塞されることになるので、ネジ頭部４２ａにアクセスするためには封印片５１１を所定の移動位置に移動させるという困難性が付与され、基板９０の取り出しに至るまでの時間をさらに引き延ばすことができる。
【００６８】
さらに、この移動位置を、基板ケースユニット２の設置された状態において、開口部５１０周縁から分断された封印片５１１がその自重に逆らって移動しなければならない位置とすることで、遊技機から基板ケースユニット２を取り外して重力のかかる方向を変えない限り、フランジ部５１１ａがネジ頭部４２ａへのアクセスを妨げるので、基板９０の取り出しに至るまでの時間をさらに引き延ばすことができる。
【００６９】
以上、本発明について、上記各実施形態を示して説明したが、本発明は、上述した各実施形態にのみ限定されるものではなく、特許請求の範囲内で種々の変更が可能であることはいうまでもない。
【００７０】
例えば、第一実施形態では、カバー５０に封印部５１（封印構造）を形成して、ボス固定部４０１の開口部４０１ａを封印する構成としたが、所定のキャップに封印部５１を形成し、このキャップを直接、ボス固定部４０１の開口部４０１ａに接着固定するように構成することもできる。
【００７１】
このように本発明の封印構造によれば、ネジや、先端部に弾性爪を有する先割れ固定ピンなどの固定具において、その固定解除部（ネジ頭部、ピン先端部）にアクセス可能に通じる開口部に、封印部５１を嵌め込んだり、封印部５１で覆うことで、開封の痕跡を残しながら、開封に至るまでの時間を引き延ばすことが容易に達成できるので、スタートレバーユニットや基板ケースに限らず、固定具を用いて固定する固定部に広く適用できる。
【産業上の利用可能性】
【００７２】
本発明は、遊技機に取り付けられるセンサを覆うカバー、基板ケースなどの封印構造として広く利用することができる。
【符号の説明】
【００７３】
１  スタートレバーユニット
１０  レバー
１１  連結ピン
２０  ベース
３０  化粧ケース
４０  スペーサ
４０１  ボス固定部
４０１ａ  開口部
４０１ｂ  壁面
４１  センサ
４２  ネジ
５０  カバー
５１  封印部（封印構造）
５１０  開口部
５１１  封印片
５１２  橋架部（脆弱部）
５１３  孔部（脆弱部）
２  基板ケースユニット
６０  ケース
７０  蓋
８０  カバー
９０  基板
【図１】
0005728691.tif 000002
【図２】
0005728691.tif 000003
【図３】
0005728691.tif 000004
【図４】
0005728691.tif 000005
【図５】
0005728691.tif 000006
【図６】
0005728691.tif 000007
【図７】
0005728691.tif 000008
【図８】
0005728691.tif 000009
【図９】
0005728691.tif 000010
【図１０】
0005728691.tif 000011
【図１１】
0005728691.tif 000012
【図１２】
0005728691.tif 000013